(57)【特許請求の範囲】
【請求項１】
無線通信システムのネットワークに関してマルチメディア放送及び同報サービス（ＭＢＭＳ）のドライブ試験の省力化（ＭＤＴ）を行う方法であって、当該方法が、
ＭＢＭＳ  ＭＤＴ動作を実行するように第１のユーザ装置（ＵＥ）に指示する第１のＭＢＭＳ測定構成を、ＭＢＭＳ測定能力を前記第１のＵＥがサポートすることを示す能力情報を前記第１のＵＥから受信したあとで送信する段階と、
前記第１のＵＥから、第１のＭＢＭＳ測定結果、及び前記第１のＭＢＭＳ測定結果が第１のマルチキャストブロードキャスト単一周波数ネットワーク（ＭＢＳＦＮ）エリア識別子（ＩＤ）によって識別される第１のＭＢＳＦＮエリアに関して生成されたことを示す前記第１のＭＢＳＦＮエリアＩＤを受信する段階と、
前記第１のＭＢＳＦＮエリアＩＤに従って前記第１のＭＢＭＳ測定結果を処理する段階とを含む、方法。
【請求項２】
前記第１のＭＢＭＳ測定構成が、前記第１のＭＢＳＦＮエリアＩＤを含む、請求項１に記載の方法。
【請求項３】
前記ＭＢＭＳ  ＭＤＴ動作を実行するように第２のＵＥに指示する第２のＭＢＭＳ測定構成を送信する段階と、
前記第２のＵＥから、第２のＭＢＭＳ測定結果、及び前記第２のＭＢＭＳ測定結果が第２のＭＢＳＦＮエリアＩＤによって識別される第２のＭＢＳＦＮエリアに関して生成されたことを示す前記第２のＭＢＳＦＮエリアＩＤを受信する段階と、
前記第２のＭＢＳＦＮエリアＩＤに従って前記第２のＭＢＭＳ測定結果を処理する段階とを更に含む、請求項１に記載の方法。
【請求項４】
無線通信システムのユーザ装置（ＵＥ）に関してマルチメディア放送及び同報サービス（ＭＢＭＳ）のドライブ試験の省力化（ＭＤＴ）を行う方法であって、当該方法が、
第１のネットワークから、マルチキャストブロードキャスト単一周波数ネットワーク（ＭＢＳＦＮ）エリアを識別するＭＢＳＦＮエリア識別子（ＩＤ）を含むＭＢＭＳ測定構成を受信する段階と、
前記ＭＢＳＦＮエリアを識別する前記ＭＢＳＦＮエリアＩＤを含む前記ＭＢＭＳ測定構成の受信に応答して、前記ＭＢＳＦＮエリアに関してＭＢＭＳ  ＭＤＴ動作を実行する段階と、
前記第１のネットワークと異なる第２のネットワークにＭＢＭＳ測定結果を送信する段階とを含み、
前記第１のネットワークが、ＭＢＭＳ測定能力を前記ＵＥがサポートすることを示す能力情報を前記ＵＥから受信したあとで、前記ＭＢＭＳ測定構成が、前記第１のネットワークによって前記ＵＥに送信される、方法。
【請求項５】
前記ＭＢＳＦＮエリアを識別する前記ＭＢＳＦＮエリアＩＤを含む前記ＭＢＭＳ測定構成の受信に応答して、前記ＭＢＳＦＮエリアに関して前記ＭＢＭＳ  ＭＤＴ動作を実行する前記段階が、
前記ＭＢＭＳ測定結果を生成するために、前記ＭＢＳＦＮエリアＩＤによって識別される前記ＭＢＳＦＮエリアに関してＭＢＭＳ測定を実行する段階と、
前記ＭＢＳＦＮエリアＩＤによって識別される前記ＭＢＳＦＮエリアに関して前記ＭＢＭＳ測定結果を保存する段階とを含む、請求項４に記載の方法。
【請求項６】
前記第２のネットワークによって送信された要求に応答して、前記保存されたＭＢＭＳ測定結果を前記第２のネットワークに送信する段階を更に含む、請求項５に記載の方法。
【請求項７】
前記第２のネットワークによって送信された要求に応答して、前記保存されたＭＢＭＳ測定結果及び前記ＭＢＳＦＮエリアＩＤを前記第２のネットワークに送信する段階を更に含む、請求項５に記載の方法。
【請求項８】
前記ＭＢＳＦＮエリアＩＤによって識別される前記ＭＢＳＦＮエリアに関する前記保存されたＭＢＭＳ測定結果を前記ＵＥが所有していることを通知するために、前記第１のネットワークに通知を送信する段階を更に含む、請求項５に記載の方法。
【請求項９】
前記ＭＢＭＳ測定結果が、進化型ユニバーサル地上無線アクセス（Ｅ−ＵＴＲＡ）キャリアＭＢＳＦＮ受信信号強度（ＲＳＳＩ）、ＭＢＳＦＮ信号対雑音比（ＳＮＲ）、ＭＢＳＦＮ信号の基準信号受信電力（ＲＳＲＰ）、ＭＢＳＦＮ基準信号受信品質（ＲＳＲＱ）、及びブロック誤り率（ＢＬＥＲ）のうちの少なくとも１つを含む、請求項５に記載の方法。
【請求項１０】
前記ＭＢＭＳ測定構成が、前記Ｅ−ＵＴＲＡキャリアＭＢＳＦＮ  ＲＳＳＩ、前記ＭＢＳＦＮ  ＳＮＲ、前記ＭＢＳＦＮ信号の前記ＲＳＲＰ、前記ＭＢＳＦＮ  ＲＳＲＱ、及び前記ＢＬＥＲのうちの少なくとも１つを含む評価指標の形式で前記ＭＢＭＳ測定結果を設定する、請求項９に記載の方法。
【請求項１１】
前記ＵＥが、ＭＢＳＦＮ伝送によって送信された前記ＭＢＳＦＮエリアに属する前記ＭＢＭＳサービスを受信することを中止するか、又はユニキャストによって送信された前記ＭＢＳＦＮエリアに属する前記ＭＢＭＳサービスを受信するように変化する場合に、前記ＭＢＳＦＮエリアに関する前記ＭＢＭＳ測定の実行を中止する段階を更に含む、請求項５に記載の方法。
【請求項１２】
前記ＭＢＳＦＮエリアに関して前記ＭＢＭＳ測定を実行する前記段階が、前記ＭＢＳＦＮエリアＩＤによって識別される前記ＭＢＳＦＮエリアに割り当てられた少なくとも１つのＭＢＳＦＮサブフレームを測定することによって前記ＭＢＭＳ測定を実行する段階を更に含み、前記ＭＢＳＦＮエリアに割り当てられた前記少なくとも１つのＭＢＳＦＮサブフレームを測定することが、前記少なくとも１つのＭＢＳＦＮサブフレームにおける基準信号を測定することを含む、請求項５に記載の方法。
【請求項１３】
無線通信システムのユーザ装置（ＵＥ）に関してマルチメディア放送及び同報サービス（ＭＢＭＳ）のドライブ試験の省力化（ＭＤＴ）を行う方法であって、当該方法が、
前記無線通信システムの第１のネットワークから、ＭＢＭＳ  ＭＤＴ動作を実行するように前記ＵＥに指示するＭＢＭＳ測定構成を受信する段階と、
前記ＭＢＭＳ測定構成の受信に応答して、マルチキャストブロードキャスト単一周波数ネットワーク（ＭＢＳＦＮ）伝送によって前記ＵＥがＭＢＭＳサービスを受信しているＭＢＳＦＮエリアに関して前記ＭＢＭＳ  ＭＤＴ動作を実行する段階と、
前記無線通信システムの第２のネットワークに、前記ＭＢＭＳ  ＭＤＴ動作を実行することによって生成されたＭＢＭＳ測定結果、及びＭＢＳＦＮエリア識別子（ＩＤ）を送信する段階であって、前記第２のネットワークが、前記第１のネットワークと異なる段階とを含み、
前記第１のネットワークが、ＭＢＭＳ測定能力を前記ＵＥがサポートすることを示す能力情報を前記ＵＥから受信したあとで、前記ＭＢＭＳ測定構成が、前記第１のネットワークによって前記ＵＥに送信される、方法。
【請求項１４】
前記第１のネットワークから送信された前記ＭＢＭＳ測定構成が、前記ＭＢＳＦＮエリアＩＤを含む、請求項１３に記載の方法。
【請求項１５】
前記ＭＢＭＳ測定構成の受信に応答して、前記ＭＢＳＦＮエリアに関して前記ＭＢＭＳ  ＭＤＴ動作を実行する前記段階が、
前記ＭＢＳＦＮエリアに関してＭＢＭＳ測定を実行する段階と、
前記ＭＢＳＦＮエリアに関する前記ＭＢＭＳ測定結果を保存する段階とを含む、請求項１３に記載の方法。
【請求項１６】
前記ＭＢＳＦＮエリアＩＤによって識別される前記ＭＢＳＦＮエリアに関する前記保存されたＭＢＭＳ測定結果を前記ＵＥが所有していることを通知するために、前記第１のネットワークに通知を送信する段階を更に含む、請求項１５に記載の方法。
【請求項１７】
前記ＵＥが、ＭＢＳＦＮ伝送によって前記ＭＢＳＦＮエリアに属する前記ＭＢＭＳサービスを受信することを中止するか、又はユニキャストによる前記ＭＢＭＳサービスを受信するように変化する場合に、前記ＭＢＳＦＮエリアに関する前記ＭＢＭＳ測定の実行を中止する段階を更に含む、請求項１５に記載の方法。
【請求項１８】
前記ＭＢＳＦＮエリアに関して前記ＭＢＭＳ測定を実行する前記段階が、前記ＭＢＳＦＮエリアＩＤによって識別される前記ＭＢＳＦＮエリアに割り当てられた少なくとも１つのＭＢＳＦＮサブフレームを測定することによって前記ＭＢＭＳ測定を実行する段階を更に含み、前記ＭＢＳＦＮエリアに割り当てられた前記少なくとも１つのＭＢＳＦＮサブフレームを測定することが、前記少なくとも１つのＭＢＳＦＮサブフレームにおける基準信号を測定することを含む、請求項１５に記載の方法。
【請求項１９】
マルチメディア放送及び同報サービス（ＭＢＭＳ）のドライブ試験の省力化（ＭＤＴ）を行うための無線通信システムのネットワーク装置であって、当該ネットワーク装置が、
ＭＢＭＳ  ＭＤＴ動作を実行するように第１のユーザ装置（ＵＥ）に指示する第１のＭＢＭＳ測定構成を、ＭＢＭＳ測定能力を前記第１のＵＥがサポートすることを示す能力情報を前記第１のＵＥから受信したあとで送信するための手段と、
前記第１のＵＥから、第１のＭＢＭＳ測定結果、及び前記第１のＭＢＭＳ測定結果が第１のマルチキャストブロードキャスト単一周波数ネットワーク（ＭＢＳＦＮ）エリア識別子（ＩＤ）によって識別される第１のＭＢＳＦＮエリアに関して生成されたことを示す前記第１のＭＢＳＦＮエリアＩＤを受信するための手段と、
前記第１のＭＢＳＦＮエリアＩＤに従って前記第１のＭＢＭＳ測定結果を処理するための手段とを含む、ネットワーク装置。
【請求項２０】
マルチメディア放送及び同報サービス（ＭＢＭＳ）のドライブ試験の省力化（ＭＤＴ）を行うための無線通信システムのユーザ装置（ＵＥ）であって、当該ＵＥが、
第１のネットワークから、マルチキャストブロードキャスト単一周波数ネットワーク（ＭＢＳＦＮ）エリアを識別するＭＢＳＦＮエリア識別子（ＩＤ）を含むＭＢＭＳ測定構成を受信するための手段と、
前記ＭＢＳＦＮエリアを識別する前記ＭＢＳＦＮエリアＩＤを含む前記ＭＢＭＳ測定構成の受信に応答して、前記ＭＢＳＦＮエリアに関してＭＢＭＳ  ＭＤＴ動作を実行するための手段と、
前記第１のネットワークと異なる第２のネットワークにＭＢＭＳ測定結果を送信するための手段とを含み、
前記第１のネットワークが、ＭＢＭＳ測定能力を当該ＵＥがサポートすることを示す能力情報を当該ＵＥから受信したあとで、前記ＭＢＭＳ測定構成が、前記第１のネットワークによって当該ＵＥに送信される、ＵＥ。
【請求項２１】
マルチメディア放送及び同報サービス（ＭＢＭＳ）のドライブ試験の省力化（ＭＤＴ）を行うための無線通信システムのユーザ装置（ＵＥ）であって、当該ＵＥが、
前記無線通信システムの第１のネットワークから、ＭＢＭＳ  ＭＤＴ動作を実行するように当該ＵＥに指示するＭＢＭＳ測定構成を受信するための手段と、
前記ＭＢＭＳ測定構成の受信に応答して、マルチキャストブロードキャスト単一周波数ネットワーク（ＭＢＳＦＮ）伝送によって当該ＵＥがＭＢＭＳサービスを受信しているＭＢＳＦＮエリアに関して前記ＭＢＭＳ  ＭＤＴ動作を実行するための手段と、
前記無線通信システムの第２のネットワークに、前記ＭＢＭＳ  ＭＤＴ動作を実行することによって生成されたＭＢＭＳ測定結果、及びＭＢＳＦＮエリア識別子（ＩＤ）を送信するための手段であって、前記第２のネットワークが、前記第１のネットワークと異なる手段とを含み、
前記第１のネットワークが、ＭＢＭＳ測定能力を当該ＵＥがサポートすることを示す能力情報を当該ＵＥから受信したあとで、前記ＭＢＭＳ測定構成が、前記第１のネットワークによって当該ＵＥに送信される、ＵＥ。
【発明の詳細な説明】
【技術分野】
【０００１】
本発明は、無線通信システムにおいて利用される方法に関し、より詳しくは、無線通信システムにおいてマルチメディア放送及び同報サービス（Multimedia  Broadcast  Multicast  Service：“ＭＢＭＳ”）のドライブ試験の省力化（Minimization  of  Drive  Test：“ＭＤＴ”）を行うための方法に関する。
【背景技術】
【０００２】
本願は、２０１４年１月１４日に出願された、“Method  and  Apparatus  for  handling  MBMS  MDT  logging  in  a  wireless  communication  system”を名称とする米国仮出願第６１／９２６，９７２号の利益を主張する。当該出願を参照することにより、その内容を本願に含める。
【０００３】
第３世代パートナーシッププロジェクト（“３ＧＰＰ”）リリース８規格（Rel-8  standard）及び／又は３ＧＰＰリリース９規格（3GPP  Rel-9  standard）をサポートするロングタームエボリューション（Long-Term  Evolution：“ＬＴＥ”）システムは、ユーザの増加するニーズを満たすためにユニバーサル移動体通信システム（Universal  Mobile  Telecommunications  System：“ＵＭＴＳ”）の性能を更に拡張するためのＵＭＴＳの後継として、３ＧＰＰによって開発される。ＬＴＥシステムは、高いデータ転送率、低い呼出し時間（latency：待ち時間）、パケット最適化、及び改良されたシステム容量と通信エリア（coverage）を提供する、新しい無線通信インタフェース及び新しい無線通信ネットワーク構造を含む。ＬＴＥシステムでは、進化型ユニバーサル地上無線アクセスネットワーク（Evolved  Universal  Terrestrial  Radio  Access  Network：“Ｅ−ＵＴＲＡＮ”）として知られている無線アクセスネットワークが、複数のユーザ装置（User  Equipment：“ＵＥ”）と通信するとともに、非アクセス層（Non-Access  Stratum：“ＮＡＳ”）制御のために、移動管理装置（Mobility  Management  Entity：“ＭＭＥ”）、サービングゲートウェイ（serving  gateway）などを有するコアネットワークと通信するための、複数の進化型ノードＢ（evolved  Node-B：“ｅＮＢ”）を含む。
【０００４】
ＬＴＥアドバンスト（LTE-advanced：“ＬＴＥ−Ａ”）システムは、その名が示すとおり、ＬＴＥシステムの進化型である。ＬＴＥ−Ａシステムは、電力状態の間のより速い切り替えを目標とし、ｅＮＢの通信エリア境界における性能を向上させ、そしてキャリアアグリゲーション（Carrier  Aggregation：“ＣＡ”）、セル間協調（Coordinated  MultiPoint：“ＣｏＭＰ”）送受信、アップリンク（UpLink：“ＵＬ”）マイモ（Multiple-Input  Multiple-Output：多入力多出力：“ＭＩＭＯ”）などのような高度な技術を含む。ＬＴＥ−ＡシステムにおいてＵＥ及びｅＮＢが相互に通信するために、ＵＥ及びｅＮＢは、３ＧＰＰリリース１０規格（3GPP  Rel-10  standard）又はそれ以降のバージョンのようなＬＴＥ−Ａシステムのために開発された規格をサポートする必要がある。
【０００５】
マルチメディア放送及び同報サービス（ＭＢＭＳサービス）又は進化型ＭＢＭＳ（Ｅ−ＭＢＭＳ）サービスは、テレビ番組、映画、音楽などのようなマルチメディアコンテンツを放送するために、ＵＭＴＳ、ＬＴＥシステム、及びＬＴＥ−Ａシステムにおいて導入された。従来のユニキャスト（unicast）と比較すると、ＭＢＭＳサービス（これ以降、ＭＢＭＳサービス及び／又はＥ−ＭＢＭＳサービスのことを指す）は、ダウンリンクのみにおいて提供され、そして、ポイントツーマルチポイント伝送（point-to-multipoint  transmission）によって、ネットワークから複数の（例えば、特定のグループの）ＵＥに対して放送される。ＭＢＭＳサービスの特性は、ネットワークが一定のネットワーク負荷で無制限の数のＵＥに対してＭＢＭＳサービスを提供することを可能にする。さらに、ＵＭＴＳ、ＬＴＥシステム、及び／又はＬＴＥ−ＡシステムにおけるＵＥは、本質的にＭＢＭＳサービスを受信し得るとともに、ＭＢＭＳサービスのために追加のハードウェア要素がインストールされることを必要としない。したがって、ハードウェアコストと資源効率の両方を考慮すれば、ＭＢＭＳサービスは魅力的である。
【０００６】
マルチキャストブロードキャスト単一周波数ネットワーク（Multicast-broadcast  single  frequency  network：“ＭＢＳＦＮ”）は、ＭＢＭＳサービスのために定義された通信チャネルである。ＭＢＳＦＮ伝送では、場合によっては異なる（potentially  different）基地局のいくつかのアンテナからの信号が、ＵＥにおいて結合される。この結合は、ＭＢＳＦＮ伝送をユニキャスト伝送と異なる状態にし、そしてＭＢＳＦＮ伝送の性能が実証されることを、ユニキャスト伝送より困難にする。ＭＢＳＦＮ伝送は、広く認知されていない。ハイブリッド自動再送要求（Hybrid  Automatic  Repeat  reQuest：“ＨＡＲＱ”）又は無線リンク制御（Radio  Link  Control：ＲＬＣ）肯定応答（acknowledgement）のようなＭＢＭＳ伝送を放送する無線アクセスネットワーク（Radio  Access  Network：“ＲＡＮ”）に対するフィードバックが存在せず、それはＭＢＳＦＮ伝送が首尾よく受信されたか否かをＲＡＮが知らないことを意味している。それ故に、提供されているＭＢＭＳサービスの品質をオペレータが理解することは難しい。したがって、ＭＢＳＦＮ無線伝送を立証して最適化する唯一の方法は、手動のドライブ試験（drive  test）を行うことである。
【発明の概要】
【発明が解決しようとする課題】
【０００７】
残念なことに、ネットワーク最適化目的のために手動のドライブ試験を用いることは費用がかかるとともに、このことはＣＯ２の環境排出の原因となり、そしてより重要なことに、一般に顧客がＭＢＭＳサービスを消費するのに標準的ではないドライブルートに沿った測定場所には制限がある。
【０００８】
ドライブ試験の省力化（Minimization  of  Drive  Test：“ＭＤＴ”）機能性（functionality）は、記録型（Logged）ＭＤＴ及び即時型（Immediate）ＭＤＴを含んでいるとともに、オペレータのネットワーク維持費を減少させ、より高い顧客満足をもたらすより速い最適化サイクルを保証し、そして環境を保護するように炭酸ガス放出を減少させるのを助けるために、アイドルモード（idle  mode）又は接続モード（connected  mode）において情報（又は、いわゆる測定ログ）を収集し、そして情報をネットワークに報告するように、複数のＵＥによって実行されるか、又は記録（ロギング）される。３ＧＰＰの仕様書によれば、記録型測定構成メッセージ（logged  measurement  configuration  message）が、ＭＤＴ機能性を実行するようにＵＥを設定するために利用される。しかしながら、ＭＢＭＳ  ＭＤＴ機能をサポートするために、どのようにＭＤＴ機能性を拡張するかが明らかではない。
【０００９】
上記の問題を解決するために、無線通信システムにおいてマルチメディア放送及び同報サービス（Multimedia  Broadcast  Multicast  Service：“ＭＢＭＳ”）のドライブ試験の省力化（Minimization  of  Drive  Test：“ＭＤＴ”）を行うための方法を提供することが、したがって本発明の目的である。
【課題を解決するための手段】
【００１０】
本発明の実施例は、無線通信システムのネットワークに関してＭＢＭＳ  ＭＤＴを行う方法を開示する。その方法は、ＭＢＭＳ  ＭＤＴ動作を実行するように第１のユーザ装置（ＵＥ）に指示する第１のＭＢＭＳ測定構成を送信する段階と、第１のＵＥから、第１のＭＢＭＳ測定結果、及び第１のＭＢＭＳ測定結果が第１のマルチキャストブロードキャスト単一周波数ネットワーク（ＭＢＳＦＮ）エリア識別子（ＩＤ）によって識別される第１のＭＢＳＦＮエリアに関して生成されたことを示す第１のＭＢＳＦＮエリアＩＤを受信する段階と、第１のＭＢＳＦＮエリアＩＤに従って第１のＭＢＭＳ測定結果を処理する段階とを含む。
【００１１】
本発明の実施例は、無線通信システムのＵＥに関してＭＢＭＳ  ＭＤＴを行う方法を更に開示する。その方法は、第１のネットワークから、ＭＢＳＦＮエリアを識別するＭＢＳＦＮエリアＩＤを含むＭＢＭＳ測定構成を受信する段階と、ＭＢＳＦＮエリアを識別するＭＢＳＦＮエリアＩＤを含むＭＢＭＳ測定構成の受信に応答して、ＭＢＳＦＮエリアに関してＭＢＭＳ  ＭＤＴ動作を実行する段階とを含む。
【００１２】
本発明の実施例は、無線通信システムのＵＥに関してＭＢＭＳ  ＭＤＴを行う方法を更に開示する。その方法は、無線通信システムの第１のネットワークから、ＭＢＭＳ  ＭＤＴ動作を実行するようにＵＥに指示するＭＢＭＳ測定構成を受信する段階と、ＭＢＭＳ測定構成の受信に応答して、ＭＢＳＦＮ伝送によってＵＥがＭＢＭＳサービスを受信しているＭＢＳＦＮエリアに関してＭＢＭＳ  ＭＤＴ動作を実行する段階と、無線通信システムのネットワークに、ＭＢＭＳ  ＭＤＴ動作を実行することによって生成されたＭＢＭＳ測定結果、及びＭＢＳＦＮエリアＩＤを送信する段階であって、ネットワークが、無線通信システムの第１のネットワーク又は第２のネットワークである段階とを含む。
【００１３】
本発明のこれら及び他の目的は、様々な図表及び図面において例示される好ましい実施例の下記の詳細な説明を読んだあとで、当業者に疑いなく明らかになるであろう。
【図面の簡単な説明】
【００１４】
【図１】本発明の実施例による無線通信システムの構成図である。
【図２】無線通信システムにおけるＭＢＳＦＮ配置の構成図である。
【図３】本発明の実施例による通信装置の構成図である。
【図４】本発明の実施例による処理のフローチャートである。
【図５】本発明の実施例による処理のフローチャートである。
【発明を実施するための形態】
【００１５】
複数の顧客ＵＥと関連付けられた無線測定値のような情報を集め、そしてこの情報をネットワークの運用及び最適化を支援するために使用するための能力を、ネットワークオペレータに提供するために、自動化された解決法を有することが望ましい。
【００１６】
本発明の実施例による無線通信システム１０の構成図である図１を参照されたい。無線通信システム１０は、概略的には、ネットワーク、及び複数のユーザ装置（ＵＥ）から構成される。図１において、ネットワーク、及び複数のＵＥは、無線通信システム１０の構成を例示するために単に利用される。実際には、ネットワークは、ユニバーサル移動体通信システム（Universal  Mobile  Telecommunications  System：“ＵＭＴＳ”）における複数のノードＢ（Node-B：“ＮＢ”）を含んでいる、ユニバーサル地上無線アクセスネットワーク（Universal  Terrestrial  Radio  Access  Network：“ＵＴＲＡＮ”）であり得る。その代わりに、ネットワークは、ロングタームエボリューション（Long-Term  Evolution：“ＬＴＥ”）システム、ＬＴＥアドバンスト（LTE-advanced：“ＬＴＥ−Ａ”）システム、又はＬＴＥ−Ａシステムの進化型における複数の進化型ＮＢ（“ｅＮＢ”）及び／又は複数の中継装置（relay）を含んでいる、進化型ＵＴＲＡＮ（“Ｅ−ＵＴＲＡＮ”）であり得る。
【００１７】
さらに、ネットワークは、同様に、ＵＴＲＡＮ／Ｅ−ＵＴＲＡＮ及びコアネットワークの両方を含み、コアネットワークは、移動管理装置（Mobility  Management  Entity：“ＭＭＥ”）、サービングゲートウェイ（serving  gateway：“Ｓ−ＧＷ”）、パケットデータネットワーク（Packet  Data  Network：“ＰＤＮ”）ゲートウェイ（“Ｐ-ＧＷ”）、自己組織化ネットワーク（Self-Organizing  Network：“ＳＯＮ”）サーバ、無線ネットワーク制御装置（Radio  Network  Controller：“ＲＮＣ”）、マルチメディア放送及び同報サービス（Multimedia  Broadcast  Multicast  Service：“ＭＢＭＳ”）ゲートウェイ、マルチセル／マルチキャスト調整エンティティ（Multi-cell/Multicast  Coordination  Entity：“ＭＣＥ”）、及び／又は運用保守（Operation  and  Maintenance：“Ｏ＆Ｍ”）エンティティなどのようなネットワークエンティティ（network  entity）を含む。言い換えれば、ネットワークがＵＥによって送信された情報を受信したあとで、その情報は、ＵＴＲＡＮ／Ｅ−ＵＴＲＡＮによってのみ処理され得るとともに、その情報に対応する決定がＵＴＲＡＮ／Ｅ−ＵＴＲＡＮにおいて行われる。その代りに、ＵＴＲＡＮ／Ｅ−ＵＴＲＡＮは、情報をコアネットワークに転送し得るとともに、コアネットワークがその情報を処理した後で、その情報に対応する決定がコアネットワークにおいて行われる。さらに、その情報は、ＵＴＲＡＮ／Ｅ−ＵＴＲＡＮ及びコアネットワークの両方によって処理され得るとともに、調整（coordination）及び連携（cooperation）がＵＴＲＡＮ／Ｅ−ＵＴＲＡＮ及びコアネットワークによって行われた後で決定が行われる。ＵＥは、携帯電話、ラップトップ、タブレットコンピュータ、電子ブック、又はポータブルコンピュータシステムであり得るが、しかしそれらに限定されない。さらに、ネットワーク及びＵＥは、伝送方向に応じて、送信器又は受信器とみなされることができ、例えば、アップリンク（ＵＬ）に関して、ＵＥは送信器であり、そしてネットワークは受信器であるとともに、ダウンリンク（ＤＬ）に関して、ネットワークは送信器であり、そしてＵＥは受信器である。より具体的には、ネットワークに関して、送信の方向はＤＬであり、そして受信の方向はＵＬである。ＵＥに関して、送信の方向はＵＬであり、そして受信の方向はＤＬである。
【００１８】
ＵＭＴＳ、ＬＴＥシステム、又はＬＴＥ−Ａシステムのような無線通信システムにおけるマルチキャストブロードキャスト単一周波数ネットワーク（ＭＢＳＦＮ）配置の構成図である図２を参照されたい。無線通信システムは、ＭＢＳＦＮによって実行されたマルチメディアサービスであるＭＢＭＳをサポートする。詳細において、ＭＢＭＳは、データが単一の送信元エンティティから複数の受信者に送信される、ポイントツーマルチポイントサービス（一対多地点間サービス：point-to-multipoint  service）である。同じデータを複数の受信者に送信することは、ネットワーク資源が共有されることを可能にする。ＭＢＳＦＮ伝送に関与するセルは、時間が正確に同期されるべきである。第３世代パートナーシッププロジェクト（“３ＧＰＰ”）の仕様書によれば、ＭＢＳＦＮ同期化エリアは、すべてのＮＢ又はすべてのｅＮＢが、同期化され得るとともに、ＭＢＳＦＮ伝送を実行することができるネットワークのエリアのことを指す。したがって、ＵＥがＭＢＳＦＮ同期化エリア内で異なるセルの間を移動する場合に、ＵＥによって受信されるＭＢＭＳサービスは中断されないかもしれない。
【００１９】
さらに、ＭＢＭＳサービスエリアは、特定のＭＢＭＳセッション（又は、ＭＢＭＳサービス）のデータが送信されるエリアのことを指し、そしてＭＢＳＦＮエリアは、ＭＢＳＦＮ同期化エリア内のセルのグループから構成されるエリアであり、セルは、ＭＢＳＦＮ伝送を達成するように調整される。図２において、ＭＢＳＦＮ同期化エリアは、１つ又は複数のＭＢＳＦＮエリアをサポートすることが可能である。所定の周波数レイヤ（frequency  layer）において、ｅＮＢ（又は、Ｎｏｄｅ−Ｂ）は、１つ又は複数のＭＢＳＦＮエリアに属し得る。ＭＢＳＦＮ伝送は、ＭＢＳＦＮエリア内の複数のセルからの同じ波形の同時の伝送によって実現されたサイマルキャスト伝送技術（simulcast  transmission  technique）のことを指し、ＭＢＳＦＮ伝送は、ＵＥに対する単一の伝送と見なされ得る。すなわち、ＭＢＳＦＮエリアにおける複数のＮＢ又は複数のｅＮＢは、同じデータ（すなわち、ＭＢＭＳ）を複数のＵＥに同時に送信し得る。ＵＥは、ＭＢＳＦＮエリアのサブセットが設定される、すなわち受信することに興味がある（複数の）サービスに対してどのＭＢＳＦＮエリアが適用されるかをＵＥが知っている場合に、ＭＢＳＦＮエリアのサブセットを考慮することをただ単に必要とし得る。
【００２０】
本発明の実施例による通信装置３０の構成図である図３を参照されたい。通信装置３０は、図１に示されたＵＥ又はネットワークを実現するために利用され得るが、しかしこの点に限定されない。通信装置３０は、マイクロプロセッサ又は特定用途向け集積回路（Application  Specific  Integrated  Circuit：“ＡＳＩＣ”）のような処理手段３００、記憶装置３１０、及び通信インタフェース装置３２０を含み得る。記憶装置３１０は、処理手段３００によってアクセスされて実行されるプログラムコード３１４を格納する任意のデータ記憶装置であり得る。記憶装置３１０の例は、加入者識別モジュール（Subscriber  Identity  Module：“ＳＩＭ”）、読出し専用メモリ（ＲＯＭ）、フラッシュメモリ、ランダムアクセスメモリ（ＲＡＭ）、ＣＤ−ＲＯＭ／ＤＶＤ−ＲＯＭ、磁気テープ、ハードディスク、及び光学データ記憶装置を含むが、しかしそれらに限定されない。通信インタフェース装置３２０は、好ましくはトランシーバであり、そして処理手段３００の処理結果に従って信号（例えば、メッセージ又はパケット）を送信及び受信するために使用される。
【００２１】
本発明の実施例による処理４０のフローチャートである図４を参照されたい。処理４０は、図２に示されたＭＢＳＦＮ配置を有し、ＭＢＭＳのドライブ試験の省力化（Minimization  of  Drive  Test：“ＭＤＴ”）動作を行うための、ＵＭＴＳシステムのＮｏｄｅ−Ｂ又はＬＴＥ／ＬＴＥ−ＡシステムのｅＮＢのような、無線通信システム１０のネットワークにおいて利用され得る。処理４０は、プログラムコード３１４にコンパイルされ得るとともに、下記のステップを含む。
【００２２】
ステップ４００：開始。
【００２３】
ステップ４０２：ＭＢＭＳ  ＭＤＴ動作を実行するようにＵＥに指示するＭＢＭＳ測定構成を送信する。
【００２４】
ステップ４０４：ＵＥから、ＭＢＭＳ測定結果、及びＭＢＭＳ測定結果がＭＢＳＦＮエリア識別子（ＩＤ）によって識別されるＭＢＳＦＮエリアに関して生成されたことを示すＭＢＳＦＮエリアＩＤを受信する。
【００２５】
ステップ４０６：ＭＢＳＦＮエリアＩＤに従ってＭＢＭＳ測定結果を処理する。
【００２６】
ステップ４０８：終了。
【００２７】
一実施例において、ネットワークは、ＭＢＭＳ  ＭＤＴ動作を実行するように第１のＵＥに指示する第１のＭＢＭＳ測定構成を、第１のＵＥに送信し得る（ステップ４０２）。第１のＵＥがＭＢＭＳ  ＭＤＴ動作を実行したあと、ネットワークは、第１のＵＥから、第１のＭＢＭＳ測定結果、及び第１のＭＢＭＳ測定結果が第１のＭＢＳＦＮエリアＩＤによって識別される第１のＭＢＳＦＮエリアに関して生成されたことを示す第１のＭＢＳＦＮエリアＩＤを受信し得る（ステップ４０４）とともに、したがって、ネットワークは、第１のＭＢＳＦＮエリアＩＤに従って第１のＭＢＭＳ測定結果を処理し得る（ステップ４０６）。上記の例では、ネットワークは、第１のＭＢＭＳ測定構成を第１のＵＥに送信するとともに、第１のＵＥから、第１のＭＢＭＳ測定結果、及び第１のＭＢＳＦＮエリアＩＤを受信し、別の例では、第１のＵＥと連携することに加えて、処理４０によるネットワークは、（ＭＢＭＳ  ＭＤＴ動作を実行するように第２のＵＥに指示する）第２のＭＢＭＳ測定構成を第２のＵＥに更に送信し、第２のＵＥから、第２のＭＢＭＳ測定結果、及び第２のＭＢＭＳ測定結果が第２のＭＢＳＦＮエリアＩＤによって識別される第２のＭＢＳＦＮエリアに関して生成されたことを示す第２のＭＢＳＦＮエリアＩＤを受信し得るとともに、ネットワークは、第２のＭＢＳＦＮエリアＩＤに従って第２のＭＢＭＳ測定結果を処理し得る。ＭＢＳＦＮエリアＩＤは、ネットワークによって放送され、したがって、ＵＥは、ネットワークからＭＢＳＦＮエリアＩＤを受信する。
【００２８】
一実施例において、ネットワークは、ＵＥから、ＵＥに保存されたＭＢＭＳ測定結果が存在することを通知する通知を受信し得るとともに、ネットワークは、ＵＥに保存されたＭＢＭＳ測定結果の報告を要求する要求をＵＥに対して送信し得る。
【００２９】
一実施例において、ネットワークが送信するＭＢＭＳ測定構成は、（ＵＥによる）ＭＢＭＳ  ＭＤＴ動作が実行されるＭＢＳＦＮエリアを識別するＭＢＳＦＮエリアＩＤを含み得る。別の実施例において、ネットワークが送信するＭＢＭＳ測定構成は、ＭＢＳＦＮエリアＩＤを含まないかもしれない。ＭＢＭＳ測定構成がいくつかのＭＢＳＦＮエリアＩＤを含むか否かにかかわらず、ＵＥは、（ＵＥによる）ＭＢＭＳ  ＭＤＴ動作が実行されるＭＢＳＦＮエリアを識別するＭＢＳＦＮエリアＩＤと一緒に、ＭＢＭＳ測定結果を送信し得る。したがって、ネットワークは、ＭＢＭＳ測定結果がＭＢＳＦＮエリアに関して実行されたＭＢＭＳ  ＭＤＴ動作に従いＵＥによって生成されたということを知っている。ＵＥは、複数のＭＢＭＳ測定結果及び複数のＭＢＳＦＮエリアＩＤを送信し得るとともに、ＭＢＳＦＮエリアＩＤの各々は、複数のＭＢＭＳ測定結果のうちの少なくとも１つが生成されるＭＢＳＦＮエリアを識別する。
【００３０】
本発明の実施例による処理５０のフローチャートである図５を参照されたい。処理５０は、図２に示されたＭＢＳＦＮ配置を有し、ＭＢＭＳ  ＭＤＴ動作を行うための無線通信システム１０のＵＥにおいて利用され得る。一実施例において、処理５０によって実施されたＵＥは、処理４０によって実施されたネットワークと通信し、そしてネットワークからＭＢＭＳサービスを受信する能力がある。処理５０は、プログラムコード３１４にコンパイルされ得るとともに、下記のステップを含む。
【００３１】
ステップ５００：開始。
【００３２】
ステップ５０２：ネットワークから、ＭＢＳＦＮエリアを識別するＭＢＳＦＮエリアＩＤを含むＭＢＭＳ測定構成を受信する。
【００３３】
ステップ５０４：ＭＢＳＦＮエリアを識別するＭＢＳＦＮエリアＩＤを含むＭＢＭＳ測定構成の受信に応答して、ＭＢＳＦＮエリアに関してＭＢＭＳ  ＭＤＴ動作を実行する。
【００３４】
ステップ５０６：終了。
【００３５】
処理５０によれば、ＵＥは、ネットワークから、ＭＢＭＳ測定構成を受信することができ（ステップ５０２）、ここでＭＢＭＳ測定構成は、ＭＢＳＦＮエリアを識別するＭＢＳＦＮエリアＩＤを含む。ＭＢＭＳ測定構成の受信に応答して、ＵＥは、ＭＢＳＦＮエリアに関してＭＢＭＳ  ＭＤＴ動作を実行し得る（ステップ５０４）。ＭＢＭＳ  ＭＤＴ動作は、ＭＢＳＦＮ記録型測定（MBSFN  logged  measurement）又はあらゆる同様な他のもののように、異なって呼ばれることができる。
【００３６】
より具体的には、ＭＢＳＦＮエリアに関してＭＢＭＳ  ＭＤＴ動作を実行するステップ（ステップ５０４）は、ＭＢＭＳ測定結果を生成するために、ＭＢＳＦＮエリアＩＤによって識別されるＭＢＳＦＮエリアに関してＭＢＭＳ測定を実行すること、及びＭＢＭＳ測定結果を保存する、すなわち記録する（ロギングする：logging）ことを含む。一般的な場合に、ＭＢＳＦＮエリアを識別するＭＢＳＦＮエリアＩＤを含むＭＢＭＳ測定構成をＵＥが受信する場合、及びＭＢＳＦＮ伝送によって提供されたＭＢＭＳサービスをＵＥが受信している場合にのみ、ＵＥはＭＢＳＦＮエリアに関してＭＢＭＳ測定を実行し得るが、しかしこの状況は本発明の実施例を限定しないという点に注意する必要がある。別の場合では、ＵＥがＭＢＳＦＮ伝送によってＭＢＭＳサービスを受信しているか否かに関係なく、ＭＢＳＦＮエリアを識別するＭＢＳＦＮエリアＩＤを含むＭＢＭＳ測定構成をＵＥが受信する間、ＵＥは、ＭＢＳＦＮエリアに関してＭＢＭＳ測定を実行し得る。別の場合では、ＵＥがＭＢＭＳサービスを受信しＭＢＭＳ測定結果を生成する限り、ＵＥは、ＭＢＭＳ測定を実行し得る。この場合、ＭＢＭＳ  ＭＤＴ動作を実行するステップは、ＭＢＭＳ測定結果を保存する、すなわち記録する（ロギングする：logging）ことを含み得る。
【００３７】
一実施例において、ＵＥが保存されたＭＢＭＳ測定結果を取得したあとで、ＵＥは、ＵＥに保存されたＭＢＭＳ測定結果が存在することを通知するための通知をネットワークに更に送信し得る。ＵＥは、ネットワークから要求を受信したあとで、ＭＢＳＦＮエリアに関する保存されたＭＢＭＳ測定結果をネットワークに更に送信し得る。要求を送信するネットワークが、ＵＥに対してＭＢＭＳ測定構成を送信するネットワークと同じであるかもしれないか、又は異なるかもしれない点に注意が必要である。例えば、ＵＥは、第１のネットワーク（例えば、第１のｅＮＢ）からＭＢＭＳ測定構成を受信し得るとともに、要求をＵＥに送信する第２のネットワーク（例えば、第２のｅＮＢ）にＭＢＭＳ測定結果を送信し得る。別の例において、第１のネットワークがＭＢＭＳ測定構成をＵＥに送信し、そして要求をＵＥに更に送信する場合、ＵＥは、第１のネットワークからＭＢＭＳ測定構成を受信し得るとともに、ＭＢＭＳ測定結果を第１のネットワークに送信し得る。
【００３８】
別の実施例において、ＵＥは、ＭＢＭＳ測定が実行されたＭＢＳＦＮエリアに対応する保存されたＭＢＭＳ測定結果ばかりでなく、ＭＢＳＦＮエリアを識別するＭＢＳＦＮエリアＩＤを、（ＭＢＭＳ測定構成をＵＥに送信する第１のネットワークと異なる）第２のネットワークに対して送信し得る。
【００３９】
ＵＥがまだＭＢＭＳ測定構成を受信していない場合でもＵＥはＭＢＳＦＮ伝送によってＭＢＭＳサービスを受信し得るとともに、ＵＥがＭＢＭＳサービスを受信している場合はいつでもＵＥはＭＢＭＳ測定を実行し得る点に注意されたい。一実施例において、一度ＵＥが第１のＭＢＳＦＮエリアに属するＭＢＭＳサービスを受信すれば、ＵＥは、第１のＭＢＳＦＮエリアに関してＭＢＭＳ測定を実行し得るとともに、第１のＭＢＳＦＮエリアを識別する第１のＭＢＳＦＮエリアＩＤを含むＭＢＭＳ測定構成をＵＥが受信するまで、ＭＢＭＳ測定結果を保存しない。その後、第１のＭＢＳＦＮエリアＩＤを含むＭＢＭＳ測定構成をＵＥが受信する場合に、ＵＥは、そのあとで、第１のＭＢＳＦＮエリアに対応するＭＢＭＳ測定結果をＵＥの記憶装置に保存する。
【００４０】
上記で言及されたように、ＵＥは、ＭＢＭＳサービスを受信しているときはいつでも、ＭＢＭＳ測定を実行し得る。例えば、ネットワークは、１０ミリ秒毎にＭＢＭＳ測定を実行してＭＢＭＳ測定結果を保存するように、ＵＥに指示し得る。その代りに、ネットワークは、ＭＢＭＳサービスをＵＥが受信する５ＭＢＳＦＮサブフレーム毎にＭＢＭＳ測定を実行するとともに、５ＭＢＳＦＮサブフレーム毎の測定結果の平均値を保存するように、ＵＥに指示し得る。ＵＥは、そのあとで、保存された測定結果をネットワークに送信する。
【００４１】
ネットワークは、ＵＥの位置又はＵＥによって加入されたＭＢＭＳサービスに従って、異なるＵＥに対して異なるＭＢＳＦＮエリアＩＤを設定し得る点に注意されたい。例えば、第１のＵＥは、第１のＭＢＳＦＮエリアに属するＭＢＭＳサービスに加入するかもしれないが、しかし第２のＭＢＳＦＮエリアに属するＭＢＭＳサービスには加入しないかもしれない。第２のＵＥは、第２のＭＢＳＦＮエリアに属するＭＢＭＳサービスに加入するかもしれないが、しかし第１のＭＢＳＦＮエリアに属するＭＢＭＳサービスには加入しないかもしれない。そのような状況では、ネットワークは、第１のＭＢＳＦＮエリアを識別する第１のＭＢＳＦＮエリアＩＤを含む第１のＭＢＭＳ測定構成によって第１のＵＥを設定することができるとともに、第２のＭＢＳＦＮエリアを識別する第２のＭＢＳＦＮエリアＩＤを含む第２のＭＢＭＳ測定構成によって第２のＵＥを設定することができ、ここで第１のＭＢＳＦＮエリアＩＤと第２のＭＢＳＦＮエリアＩＤは異なる。
【００４２】
更なる実施例において、ネットワークは、２つ以上のＭＢＳＦＮエリアＩＤを含むＭＢＭＳ測定構成によってＵＥを設定し得る。ＵＥは、各ＭＢＳＦＮエリアに関して、各対応するＭＢＳＦＮエリアＩＤを含むＭＢＭＳ測定構成の受信に応答してＭＢＭＳ  ＭＤＴ動作を実行し得る。より具体的には、ＵＥは、ＭＢＭＳ測定構成に含まれるＭＢＳＦＮエリアＩＤによって識別される各ＭＢＳＦＮエリアに関してＭＢＭＳ測定を実行することができるとともに、各ＭＢＳＦＮエリアに対応するＭＢＭＳ測定結果を保存することができ、そしてＵＥは、保存されたＭＢＭＳ測定結果をネットワークに送信することができる。
【００４３】
ＵＥは、第１のＭＢＳＦＮエリア及び第２のＭＢＳＦＮエリアから同時にＭＢＭＳサービスを受信し得る。一実施例において、ＭＢＳＦＮエリアＩＤを１つだけ含み、そのＭＢＳＦＮエリアＩＤが第１のＭＢＳＦＮエリアに対応しているＭＢＭＳ測定構成をＵＥが受信したあとで、ＵＥはＭＢＭＳ測定を実行し得るという状況に関して、ＵＥは、第１のＭＢＳＦＮエリアに関してＭＢＭＳ測定を実行することができるとともに、第１のＭＢＳＦＮエリアに対応するＭＢＭＳ測定結果を保存することができ、ＭＢＭＳ測定は第２のＭＢＳＦＮエリアに関して実行されず、そして第２のＭＢＳＦＮエリアに対応するＭＢＭＳ測定結果は生成されないとともに保存されない。この場合、第２のＭＢＳＦＮエリアに関するＭＢＭＳ測定は、ネットワークによって要求されないと考えられる。
【００４４】
一実施例において、一度ＭＢＭＳサービスがＵＥによって受信されるならば、ＵＥはＭＢＭＳ測定を実行し得るという状況に関して、ＵＥは、第１のＭＢＳＦＮエリア及び第２のＭＢＳＦＮエリアの両方について測定を実行し得る。その後、ＭＢＳＦＮエリアＩＤを１つだけ含むとともに、そのＭＢＳＦＮエリアＩＤが第１のＭＢＳＦＮエリアに対応しているＭＢＭＳ測定構成をＵＥが受信する場合、ＵＥは、第１のＭＢＳＦＮエリアに対応するＭＢＭＳ測定結果を保存することができ、そして第２のＭＢＳＦＮエリアに対応するＭＢＭＳ測定結果を保存しないかもしれない。言い換えれば、第２のＭＢＳＦＮエリアに関するＭＢＭＳ測定がまだ実行されるかもしれないが、しかし第２のＭＢＳＦＮエリアに関するＭＢＭＳ測定結果は、（例えば、ＵＥに保存されずに）破棄されるかもしれない。
【００４５】
いくつかの状況において、ＭＢＳＦＮ伝送を実行する場合、ネットワークは、どのくらいのＵＥがＭＢＳＦＮ伝送を受信しているかを検出し得る。ＭＢＳＦＮ伝送を受信しているＵＥの数が少ない場合、ネットワークは、ＭＢＳＦＮ伝送を中止することができるとともに、それぞれのＵＥにユニキャスト伝送を適用するように変化することができ、ユニキャスト伝送は、ＭＢＳＦＮ伝送のために最初は使用されているいくつかの資源を一般的なデータ伝送のために使用されるようにネットワークが解放することを可能にする。そのような状況では、ＭＢＳＦＮ伝送は、ユニキャスト伝送に変更される。ネットワークは、システム情報を通して、この変更をＵＥに通知し得る。その結果、ＵＥは、ＭＢＳＦＮ伝送を通したＭＢＭＳサービスの受信を中止し得るとともに、ユニキャストによってＭＢＭＳサービスを受信するために、ネットワークに対して無線リソース制御（Radio  Resource  Control：“ＲＲＣ”）接続を確立し得る。ＵＥがＭＢＳＦＮ伝送によってＭＢＭＳサービスを受信することを中止する場合、ＵＥがＭＢＭＳ測定を実行することを中止し得る点に注意が必要である。
【００４６】
一実施例において、ＵＥが第１のＭＢＳＦＮエリアＩＤによって識別される第１のＭＢＳＦＮエリアに属しているＭＢＭＳサービスを受信している場合に、ＵＥはＭＢＭＳ測定を実行し得るという状況に関して、第１のＭＢＳＦＮエリアＩＤによって識別される第１のＭＢＳＦＮエリアに属しているＭＢＭＳサービスを受信することをＵＥが中止する間、ＵＥは、ＭＢＭＳ測定を実行することを中止し得る。例えば、ＵＥは、第１のＭＢＳＦＮエリアに属しているあらゆる（複数の）ＭＢＭＳサービスを受信することを中止し得るか、又はＵＥは、第２のＭＢＳＦＮエリアＩＤによって識別される第２のＭＢＳＦＮエリアに属するＭＢＭＳサービスを受信するように変化し得る。そのような状況では、ＵＥは、ＭＢＭＳ測定を実行することを中止し得る。
【００４７】
好ましくは、ＵＥは、ＭＢＳＦＮエリアに関するＭＢＭＳ測定結果がネットワークによって要求される場合にのみ、ＭＢＳＦＮエリアに対応するＭＢＭＳ測定結果を保存し得る。そのような状況では、ＵＥのメモリは、ネットワークによって要求された測定データのために使用されることになる。対照的に、ＭＢＭＳサービスを提供するあらゆるＭＢＳＦＮエリアに関するすべてのＭＢＭＳ測定結果がネットワークに対して報告されるためにＵＥによって保存される場合、ＵＥの多量のメモリが、たとえ測定データのうちのいくつかが役に立たないデータであるとしても、これらの測定データによって占有され得るとともに、これはＵＥのより悪い性能をもたらす。
【００４８】
ＭＢＭＳ測定結果は、例えば測定ログ（measurement  log）であり得る。メモリに保存された（複数の）測定ログが存在する場合、ＵＥは、ＲＲＣメッセージ又は別のアップリンクメッセージによって、（複数の）測定ログの存在を示す情報をネットワーク（例えば、ｅＮＢ）に通知し得る。ネットワークがこの指示を受信したあとで、ネットワークは、特定の時刻に別のＲＲＣメッセージによって（複数の）測定ログを報告するように、ＵＥに要求し得る。ＵＥは、その場合に、（複数の）測定ログをネットワークに送信する。
【００４９】
ＭＢＭＳ測定結果は、進化型ユニバーサル地上無線アクセス（Evolved  Universal  Terrestrial  Radio  Access：“Ｅ−ＵＴＲＡ”）キャリアＭＢＳＦＮ受信信号強度（Received  Signal  Strength  Indicator：“ＲＳＳＩ”）、ＭＢＳＦＮ信号対雑音比（Signal-to-Noise  Ratio：“ＳＮＲ”）、ＭＢＳＦＮ信号の基準信号受信電力（Reference  Signal  Received  Power：“ＲＳＲＰ”）、ＭＢＳＦＮ基準信号受信品質（Reference  Signal  Received  Quality：“ＲＳＲＱ”）、及びブロック誤り率（Block  Error  Rate：“ＢＬＥＲ”）のうちの少なくとも１つを含み得る点に注意されたい。ＭＢＭＳ測定結果のフォーマットは、ＭＢＭＳ測定構成を用いて、ネットワークによってＵＥに指示され得る。すなわち、ネットワークは、Ｅ−ＵＴＲＡキャリアＭＢＳＦＮ  ＲＳＳＩ、ＭＢＳＦＮ  ＳＮＲ、ＭＢＳＦＮ信号のＲＳＲＰ、ＭＢＳＦＮ  ＲＳＲＱ、及びＢＬＥＲのうちの少なくとも１つを含む評価指標の形式でＭＢＭＳ測定結果を設定するようにＭＢＭＳ測定構成を送信し得る。例えば、ＵＥがＲＳＲＰの形式でＭＢＭＳ測定結果を報告するべきであるという要求をネットワークが行う場合、ＵＥは、それに応じてＲＳＲＰの値を報告し得る。一般に、ＵＥに保存されるＭＢＭＳ測定結果のフォーマットは、ネットワークによって要求されたフォーマットと同じであっても良く、したがって、ＵＥは、ＭＢＭＳ測定結果を直接的に報告し得る。いくつかの実施例において、ＵＥに保存されるＭＢＭＳ測定結果のフォーマットは、ネットワークによって要求されたフォーマットと異なっても良い。例えば、ＵＥがＲＳＲＰの形式でＭＢＭＳ測定結果を報告するべきであるという要求をネットワークが送信する場合、ＵＥは、ＵＥのメモリ内に２倍のＲＳＲＰ値を保存し得るとともに、保存された値を２で割ったあとで、ＭＢＭＳ測定結果としてＲＳＲＰ値を報告し得る。
【００５０】
ＵＥは、ＭＢＭＳ測定構成を受信した直後にＭＢＭＳ測定結果をネットワークに報告しないかもしれないという点に注意する必要がある。その代りに、ＵＥは、ＭＢＭＳ測定構成を受信する場合にＭＢＭＳ測定結果を保存し得るとともに、ネットワークから要求を受信したあとでＭＢＭＳ測定結果を報告し得る。例えば、ＵＥが第１のネットワークからＭＢＭＳ測定構成を受信し、そしてＵＥがＭＢＭＳ測定結果を送信する前に第１のネットワークから第２のネットワークに移動したあとで、ＵＥは、その場合、ＭＢＭＳ測定結果を第２のネットワークに送信する。
【００５１】
さらに、第２のネットワークがＵＥからＭＢＭＳ測定結果を獲得する場合、第２のネットワークは、ＭＢＭＳ測定結果がどのＭＢＳＦＮエリアのために使用されるかについて、知らないかもしれない。そのような状況では、ＵＥは、ＭＢＭＳ測定結果がＭＢＳＦＮエリアＩＤによって識別されるＭＢＳＦＮエリアに対応して生成されたことを示すために、第２のネットワークに対してＭＢＳＦＮエリアを識別するＭＢＳＦＮエリアＩＤを更に送信し得る。第２のネットワークは、ＭＢＳＦＮエリアＩＤに従ってＭＢＭＳ測定結果を処理するか、又は、ネットワークエンティティにＭＢＭＳ測定結果及びＭＢＳＦＮエリアＩＤを送信する。ネットワークエンティティは、異なるＵＥからＭＢＭＳ測定結果を集めて処理することに関与する中央集権化されたノードであり、独立型の（スタンドアロンの：standalone）ノードであり得るか、又はＭＣＥ、Ｏ＆Ｍエンティティ、若しくはＭＭＥ内に設置され得る。
【００５２】
第２のネットワーク又はネットワークエンティティがＵＥからＭＢＳＦＮエリアＩＤを受信しない場合、第２のネットワーク又はネットワークエンティティは、ＭＢＭＳ測定結果を今までどおり処理するとともに、ＵＥがＭＢＭＳ測定を実行するセルのセルグローバル識別子（cell  global  identity）を用いて、ＭＢＭＳ測定結果をＭＢＳＦＮエリアＩＤに関連付ける。ＵＥは、測定された信号からＭＢＭＳ測定結果が生成されるセルを指示するために、セルグローバル識別子を送信し得る。ＵＥがＭＢＭＳ測定を実行するセルが１つだけのＭＢＳＦＮエリアに属する場合、第２のネットワーク又はネットワークエンティティは、セルグローバル識別子からこのＭＢＳＦＮエリアのＭＢＳＦＮエリアＩＤを導出し得る。
【００５３】
例えば、第２のネットワーク又はネットワークエンティティは、セルグローバル識別子とＭＢＳＦＮエリアＩＤとの間のマッピング情報（例えば、マッピングテーブル）を有し得る。第２のネットワーク又はネットワークエンティティは、ＭＢＳＦＮエリアＩＤを見つけるためにセルグローバル識別子を使用するように、マッピング情報を検索し得る。
【００５４】
第２のネットワーク又はネットワークエンティティがＭＢＳＦＮエリアＩＤをＵＥから入手する場合又は単独で導出する場合のいずれかである場合、第２のネットワーク又はネットワークエンティティは、ＭＢＳＦＮエリアＩＤに従ってＭＢＭＳ測定結果を分類し、そして分析することによって、ＭＢＭＳ測定結果を処理し得る。分析に基づいて、第２のネットワーク又はネットワークエンティティは、ＭＢＳＦＮエリアに関するＭＢＳＦＮ伝送を最適化する。例えば、分析に基づいて、第２のネットワーク又はネットワークエンティティは、ＭＢＳＦＮエリア内の信号品質がより弱い場合、このＭＢＳＦＮエリア内のＭＢＭＳ品質を高めるために、より多くのセルを、ＭＢＳＦＮ伝送を行うように設定し得るか、又は第２のネットワーク又はネットワークエンティティは、ＭＢＳＦＮエリア内のＭＢＭＳ品質が十分に良い場合、電力（electricity  power）を節約するために、より少ないセルを、ＭＢＳＦＮエリア内でＭＢＳＦＮ伝送を行うように設定し得る。第２のネットワーク又はネットワークエンティティは、ＭＢＳＦＮエリア内の信号品質がより弱い場合、このＭＢＳＦＮエリアに関するセルのＭＢＳＦＮ伝送電力を更に増加し得るか、又はＭＢＳＦＮエリア内の信号品質がセルにおいて十分に良い場合、このＭＢＳＦＮエリアに関するセルのＭＢＳＦＮ伝送電力を更に減少し得る。
【００５５】
３つ以上のＭＢＳＦＮエリアに同時に属するいくつかのセルが存在する点に注意されたい。これらのセルの各々に関して、セルの少なくとも１つのサブフレームが第１のＭＢＳＦＮエリアに関して使用され得るとともに、セルの他のサブフレームのうちの少なくとも１つが第２のＭＢＳＦＮエリアに関して使用され得る。ＭＢＭＳ測定構成に含まれるＭＢＳＦＮエリアＩＤが第１のＭＢＳＦＮエリアに関して使用される場合、ＵＥは、ＭＢＳＦＮエリアＩＤによって識別される第１のＭＢＳＦＮエリアに割り当てられた（複数の）ＭＢＳＦＮサブフレームを測定することによって、ＭＢＭＳ測定を実行し得る。第１のＭＢＳＦＮエリアに関するＭＢＳＦＮサブフレームが測定されるべきであると指定される場合、ＵＥは、第１のＭＢＳＦＮエリアの測定値（例えば、ＭＢＳＦＮ  ＳＮＲ、ＭＢＳＦＮ  ＲＳＲＰ、及び／又はＭＢＳＦＮ  ＲＳＲＱ）を決定するために、ＭＢＳＦＮサブフレームにおける基準信号を測定し得る。ＭＢＭＳ測定は、アイドルモード又は接続モードにおけるＵＥによって実行されることができ、アイドルモード又は接続モードにおけるＵＥによって実行されることは、本発明の限定事項であるべきでなく、そして従来技術における記録型（Logged）ＭＤＴ及び即時型（Immediate）ＭＤＴと異なっているはずである。
【００５６】
第１のＭＢＳＦＮエリアのＭＢＳＦＮ伝送に関してどのサブフレームが使用されるかについてネットワークが知っているので、ネットワークによって送信されたＭＢＭＳ測定構成は、どのサブフレームが測定されるべきかを示すサブフレーム構成を含み得る。ＭＢＭＳ測定構成は、マルチキャスト制御チャネル（Multicast  Control  Channel：“ＭＣＣＨ”）若しくはマルチキャストトラフィックチャネル（Multicast  Traffic  Channel：“ＭＴＣＨ”）のようなチャネルのどれが測定されるべきかを示すチャネル構成、及び／又は測定されるべきＭＢＭＳサービスを示すＭＢＭＳサービス構成を更に含み得る。ＵＥは、チャネル構成に基づいたチャネルについて、及び／又はＭＢＭＳサービス構成に従ってＭＢＭＳサービスが受信されるサブフレームについて、ＭＢＭＳ測定を実行し得るとともに、ＭＢＭＳ測定結果を保存し得る。一実施例において、ネットワークは、ＵＥから能力情報を受信したあとで、ＵＥにＭＢＭＳ測定構成を送信することができ、ここで能力情報は、ＭＢＭＳ測定能力をＵＥがサポートすることを示す。言い換えれば、ＵＥがＭＢＭＳ測定能力をサポートしない場合、ネットワークは、ＭＢＭＳサービスを受信することに応答してＭＢＭＳ  ＭＤＴ動作を実行する能力を有効するようにＵＥに指示するために、ＵＥに対してＭＢＭＳ測定構成を送信しないかもしれない。ＭＢＭＳ測定能力は、ＵＥ能力情報メッセージに含まれ得る。ネットワークは、ＵＥに対してＵＥ能力照会メッセージを送信し得るとともに、ＵＥは、ＵＥ能力照会メッセージの受信に応答して、ＵＥ能力情報メッセージを送信し得る。
【００５７】
ＭＢＭＳ測定構成は、記録型測定構成メッセージ（logged  measurement  configuration  message）に含まれ得る点に注意されたい。従来技術において、記録型測定構成メッセージは、記録型ＭＤＴ（それはＭＢＭＳ  ＭＤＴではない）の構成を送信するために使用されるとともに、本発明は、ＭＢＭＳ  ＭＤＴのＭＢＭＳ測定構成を更に送信するように、記録型測定構成メッセージを設定し得る。より具体的には、記録型測定構成メッセージがＭＢＭＳ測定構成を送信するために同様に使用されることができる場合、記録型測定構成メッセージは、ＭＢＳＦＮエリアＩＤを含み得るＭＢＭＳ測定構成を含んでも良い。ＭＢＭＳ測定構成がＭＢＳＦＮエリアＩＤを全く含まない場合、ネットワークは、ＵＥが任意のＭＢＭＳサービスを受信しているすべてのＭＢＳＦＮエリアについてＵＥがＭＢＭＳ測定を実行することを、要求することになる。ＵＥは、ＵＥがＭＢＳＦＮエリア内で何らかのＭＢＭＳサービスを受信している場合に、ＭＢＳＦＮエリアに対応するＭＢＭＳ測定結果及びＭＢＳＦＮエリアＩＤを保存する。ＭＢＭＳ測定構成は、ＵＥがＭＢＭＳ測定を実行する搬送波周波数を示す搬送波周波数情報を更に含み得る。
【００５８】
しかしながら、３ＧＰＰ  ＴＳ  ３６．３３１  ｖ１１．６．０、第５．６．６．３節（3GPP  TS  36.331  v11.6.0,  section  5.6.6.3）によれば、ＵＥは、新しい記録型測定構成メッセージを受信すると、第５．６．７節において指定された記録型測定情報（logged  measurement  information）と同様に、記録型測定構成（logged  measurement  configuration）を破棄することになっている。これは、ＵＥが新しい記録型測定構成メッセージを受信する場合に、以前に受信した記録型測定構成メッセージに関する記録型測定構成、及び対応する測定結果（又はＭＢＭＳ測定構成、及びＭＢＭＳ測定結果）を、ＵＥが破棄し得ることを意味する。ＵＥがＭＢＭＳ  ＭＤＴ機能性と記録型ＭＤＴ機能性の両方の能力がある場合、ＵＥは、ＭＢＭＳ測定結果及び記録型ＭＤＴ測定結果を、一緒に保存することができるべきである。そのような状況では、ＵＥが情報要素「LoggedMeasurementConfiguration-r10-IEs」を有する記録型測定構成メッセージを受信する場合に、ＭＢＭＳ測定結果が破棄されることを防止するために、又はＵＥがＭＢＭＳ測定構成を有する記録型測定構成メッセージを受信する場合に、記録型ＭＤＴ測定結果が破棄されることを防止するために、ＭＢＭＳ測定構成のための情報要素は、記録型測定構成のための情報要素、すなわち「LoggedMeasurementConfiguration-r10-IEs」を除外しているべきである。例えば、ＵＥは、記録型測定構成（すなわち、「LoggedMeasurementConfiguration-r10-IEs」）を含む記録型測定構成メッセージを受信し得るとともに、それに応じて記録型ＭＤＴ測定結果を保存し得る。その次に、ＵＥがＭＢＭＳ測定構成（例えば、「LoggedMeasurementConfiguration-r12-IEs」）を含む記録型測定構成メッセージを受信する場合、ＵＥは、以前に保存された記録型ＭＤＴ測定結果を破棄せずにＭＢＭＳ測定結果を保存することができ、すなわち、ＵＥは、ＭＢＭＳ測定結果及び記録型ＭＤＴ測定結果を一緒に保存し得る。
【００５９】
その代りに、ＭＢＭＳ測定構成は、記録型測定構成メッセージ以外のＲＲＣメッセージに含まれ得る。ＵＥが、記録型測定構成メッセージと異なるとともに、ＭＢＭＳ測定構成を含むＲＲＣメッセージを受信する場合、ＵＥは、以前に保存された記録型ＭＤＴ測定結果を破棄しないかもしれない。
【００６０】
当業者は、上記の説明及び実施例に関して、組み合わせ、修正、及び／又は変更を容易に行うはずである。提案されたステップを含む処理の上記のステップは、ハードウェア、ハードウェアデバイスとハードウェアデバイス上に読み出し専用のソフトウェアとして存在するコンピュータ命令及びデータとの組み合わせとして知られているファームウェア、又は電子システムであろう手段によって実現され得る。ハードウェアの例は、超小型回路、マイクロチップ、又はシリコンチップとして知られているアナログ回路、デジタル回路、及びそれらの混在回路を含み得る。電子システムの例は、システムオンチップ（System  On  Chip：“ＳＯＣ”）、システムインパッケージ（System  in  Package：“ＳｉＰ”）、コンピュータオンモジュール（Computer  On  Module：“ＣＯＭ”）、及び通信装置３０を含み得る。
【００６１】
総括すると、本発明は、無線通信システムにおいてＭＢＭＳ  ＭＤＴを行う方法を提供する。その方法は、ネットワークがＭＢＭＳ測定構成によって（複数の）特定のＭＢＳＦＮエリアについてＭＢＭＳ測定を実行するように複数のＵＥを設定することを可能にする。ＭＢＭＳ測定構成を受信する場合、ＵＥは、ネットワークによって指定された（複数の）ＭＢＳＦＮエリアに関するＭＢＭＳ  ＭＤＴ動作を有効にし得る。より具体的には、ＭＢＭＳサービスに関するＭＤＴを実現するために、ＵＥは、ネットワークによって指定された（複数の）ＭＢＳＦＮエリアに関する（複数の）ＭＢＭＳ測定結果を保存し得るとともに、そのあとで、（複数の）ＭＢＭＳ測定結果をネットワークに送信し得る。
【００６２】
当業者は、本発明の教示を保持しながらデバイス及び方法の多くの修正及び変更が行われ得ることに容易に気づくことになる。したがって、上記の開示は、添付された特許請求の範囲の境界及び範囲によってのみ限定されると解釈されるべきである。
【符号の説明】
【００６３】
１０    無線通信システム
３０    通信装置
３００    処理手段
３１０    記憶装置
３１４    プログラムコード
３２０    通信インタフェース装置
【図１】
0006031534.tif 000002
【図２】
0006031534.tif 000003
【図３】
0006031534.tif 000004
【図４】
0006031534.tif 000005
【図５】
0006031534.tif 000006